(57)【要約】      （修正有）【課題】簡単な構造で安価に製作でき、身体の炎症部、痛み部等に単に添着して冷却するのみで、痛みを軽減し、身体的不快からの回復を促進する二重金属板製冷却パックを提供する。【解決手段】人体局部に添着するものであり、添着面側に耐蝕性の金属製冷却板を配置し、その金属製冷却板の裏面側に微細な間隙をおいて耐蝕性の金属製放熱板を耐蝕性の単数又は複数の金属連結具で部分連結して配置し、前記金属製冷却板と金属製放熱板に複数の貫通孔を設けたことを特徴とする。【選択図】図１
0003151474.tif 000002
【実用新案登録請求の範囲】
【請求項１】
人体局部に添着するものであり、添着面側に耐蝕性の金属製冷却板を配置し、その金属製冷却板の裏面側に微細な間隙をおいて耐蝕性の金属製放熱板を耐蝕性の単数又は複数の金属連結具で部分連結して配置し、前記金属製冷却板と金属製放熱板に複数の貫通孔を設けたことを特徴とする二重金属板製冷却パック。
【考案の詳細な説明】
【技術分野】
【０００１】
本考案は、身体の筋肉および／または関節および／または骨格系の傷害および／または炎症部等に添着して冷却し、それらを鎮める二重金属板製冷却パックに関するものである。
【背景技術】
【０００２】
傷害および／または炎症のある部位の痛みは、一般に、末梢感覚求心神経単位末端の痛み受容体の刺激から生じる。これらの求心神経単位の活動が増進することによって、脊髄の背突起(dorsal horn）のニューロン間のギャップ結合で化学的(chemical)神経伝達物質が放出されるようになる。化学的神経伝達物質は、脊髄のニューロンを活性化し、それによって局部的に脊髄反射活動が増進し、脳で痛みが知覚されるようになると言われている。
【０００３】
局部的に脊髄反射活動が増進することによって、運動および痛み刺激を最小限に抑えようとして激しい骨格筋の収縮が発生する。筋肉の収縮が継続的であると、筋肉の痙攣が発生し、それが痛み受容体を物理的に刺激すると共に組織の血液灌流(perfusion)を低下させ、そのために酸素の使用可能量が減少し、ブラジキニン、プロスタグランジン、乳酸およびカリウムなどの化学的媒介物質(chemical mediators)が放出されることで組織がさらに損傷を受けることによって、さらなる痛みが発生する。化学的媒介物質は、血管を傷つけることによって血液浸透性を増加させ、これによって組織内に流体または血液が過剰に蓄積され（浮腫および腫れ）、痛み受容体がさらに物理的に刺激される。化学的媒介物質は、直接的に痛み受容体の刺激も行う。
【０００４】
痛み刺激に反応した脳での痛みの知覚は、痛み信号の感覚処理を増加させる脊髄での反応変化によって高まり、その結果、痛み反応が誇張されて、痛み刺激が停止した後に何時間も継続する。脳での痛みの知覚は一般的に、特徴的な行動パターンおよび苦痛として現れる心理効果を生じる。
そこで従来、身体の炎症部、痛み部等がある場合、それらを鎮めるために、西洋医学的なもの或いは東洋医学的なものなど様々な治療器具が紹介されている。
しかしそのいずれもが、高価であり、効能が不明なものが多く、かつ当ての無い長期の治療を余儀なくされるものが多い。
【０００５】
例えば、特許文献１には、治療時間を短縮し、使用技術も簡単にして、価格も大巾に引き下げるものとして、一定の大きさの粘着テープの粘着面の全面に同じ大きさの網を人体の痛むところの患部に貼る治療用具を紹介している。これは効能が不明確である。
【０００６】
特許文献２には、「今までの治療具は、腰痛ベルト・腰枕・腰痛治療器と単体で使用しているものが多く必ずしも使用者本人の要望する効果として別々に治療具を使用しなければならなかった」として、体勢や使用場所に問わずに使用者本人の体形や症状やその時のニーズに合わせ手軽に使え、多様な使用方法を適宜選択出来る、ベルト式腰痛腰枕治療具を紹介している。これは高価でかつ複雑な構造で腰にしか利用できない。
【０００７】
特許文献３には、本体生ゴムバンドで保持した硬質スポンヂに穴を開け、それに磁気を固定させ、柔らかい布を接着して、磁気を患部に当てるように配置接着した、膝痛、腰痛 、ギックリ腰等の磁気治療器具を紹介している。これも高価でかつ複雑な構造で腰にしか利用できない。
【０００８】
特許文献４には、皮膚損傷及び内部損傷、例えば低灌流であるが依然として生存可能な心筋（冬眠心筋）を治療するため、外部の非侵襲性の鎮痛性電磁場（ＥＭＦ）を病変のある患者の病変の部位から離れた領域に印加する電磁装置を紹介している。
これも高価でかつ複雑な構造で利用分野が限られている。
【特許文献１】特開２００３−３１９９６８「粘着テープに網を張りつけた痛みの治療用具」
【特許文献２】特開２００３−７９７４７「ベルト式腰痛腰枕治療具」
【特許文献３】特開２００１−２６９４１４磁気膝痛治療器具磁気腰痛治療器具
【特許文献４】特表２００７−５３０２０９「不適切な血液潅流、部分除神経、組織の損失、疼痛、浮腫、炎症、及び感染を伴う損傷を治療するための電磁装置」
【考案の開示】
【考案が解決しようとする課題】
【０００９】
本考案は、簡単な構造で安価に製作でき、身体の炎症部、痛み部等に単に添着して冷却するのみで、痛みを軽減し、身体的不快からの回復を促進する二重金属板製冷却パックを提供するものである。
【課題を解決するための手段】
【００１０】
上記課題を満足させる本考案の基本的な技術構成は、次の(1)の通りである。
(1)、人体局部に添着するものであり、添着面側に耐蝕性の金属製冷却板を配置し、その金属製冷却板の裏面側に微細な間隙をおいて耐蝕性の金属製放熱板を耐蝕性の単数又は複数の金属連結具で部分連結して配置し、前記金属製冷却板と金属製放熱板に複数の貫通孔を設けたことを特徴とする二重金属板製冷却パック。
【考案の効果】
【００１１】
本発明の耐蝕性の二重金属板製冷却パックは、堅牢な簡単構造体であり長期間使用でき、横になっている時、座った時、立っている時など、体勢を問わずに使用して、膝、肘、頭部、足裏、脹脛、肩等の痛み及び炎症等を程よい速度で冷却放熱して軽減し、筋肉の緊張を弛緩し、血管を元の状態にして早期に痛みのない健康体に治癒していくのである。
就寝中など、横になっている時に寝返りしても、また、長時間のデスクワーク・車の運転時など座った姿勢の時も、痛治療に使用することが出来る。更に、長時間の立ち仕事の時にも、痛治療に使用することが出来る。
【考案を実施するための最良の形態】
【００１２】
耐蝕性の二重金属板製冷却パックの効能は次の論理が考えられる。
耐蝕性の二重金属板製冷却パックを長時間肌に密着したところ人体の発汗作用により表面が腐食されることが皆無になり、肌にアレルギーなどの障害を発生させることなく、患部の痛みが消える作用が早くなった。この作用を更に詳しく論理付けると、肉体に痛みが発生する原因は、肉体が局部的に血行不良となることは肉体の老化である。
老化とは血管が細くなり血流が悪くなるからその部分を治すために血液を多く送るのである。ところが血管が老化のため細くなっているから、その血管の血圧が高くなる。その血圧が熱を発生しその局部に痛みが発生する。この痛みを消すために普通は冷湿布などを利用して痛みを消そうとするが、その効果は短時間でなくなり、
もとの痛い状態に戻る。
【００１３】
耐蝕性の二重金属板製冷却パックはその欠点を除去するもので、耐蝕性のステンレス板、表面にアルマイト加工したアルミ板・クロムメッキ、ニッケルメッキ等をした鋼板、銅板等の熱伝導性の高いしかも耐蝕性の優れた金属板を利用して、痛む患部の熱を長時間かけて吸熱して程よく冷却して痛みを確実に解消するという薬品とは異なる多大な効果を得ることができた。痛い局部の血行が良くなると、その血管が基の太さに回復して血管が若返るのである。
考案者である小生は、九十歳の今日、八十年間腰や膝、肩の痛みに苦しみ医者に行くと老化現象であるから痛みは我慢するしか無いと言われたため、試行錯誤の結果本考案を創作して老人ホームで自分も含め数人に実験したところ数日や数か月で痛みが完治したと喜ばれている。
【００１４】
耐蝕性の二重金属板製冷却パックは、腐食せず且つ冷却能力に劣化などの変化が全くなく再発に備え保存しておけば簡単で再使用することができる。また本パックを後進国等の人々に日本政府から安価で支給すれば日本医療界の誇りともなろう。また現在の不況と医師不足から医療の補助となれば軽症患者が少なくなり重症患者に重点を置いた治療がなされる効果が大であり、老人の医療費軽減の一助になり国の助けとなる。
そこで本考案の耐蝕性の二重金属板製冷却パックにおいて、人体局部に添着する添着面側の耐蝕性の金属製冷却板及び金属製冷却板の裏面側に微細な間隙をおいて金属連結具で部分連結して配置する耐蝕性の金属製放熱板は、添着する人体局部に合う形状、例えば平面円形、平面矩形、側面湾曲等にし、そして適宜な厚みにして、その金属の伝熱効果とイオン効果と電子効果により人体の痛み局部を効率よく吸熱冷却し、熱放散して筋肉の緊張を弛緩する。
金属製冷却板と金属製放熱板に設ける貫通孔と金属板間の間隙Cは、汗などを放出すると共に吸熱冷却と熱放冷却するためのラジエター的機能を果たすものである。
本考案の二重金属板製冷却パックを患部に装着する方法は、パックの左右に革製、合成樹脂製、繊維製、ゴム製などで紐状、ベルト状、網目状、鎖状などに成形した装着帯を連結して締め装着するなど患部の部位や形状に応じた装着具を採用することができる。
而して、本考案を実施するための最良の形態は、次に紹介する実施例により詳細に説明する。
【実施例１】
【００１５】
図１において、本例の二重金属板製冷却パックは、人体局部に添着するものであり、添着面側に直方形の耐蝕性のステンレス製の金属製冷却板100Aを配置し、その金属製冷却板100Aの裏面側に微細な間隙CAをおいて円形の耐蝕性のステンレス製の金属製放熱板200Aを耐蝕性のステンレス製の金属連結具300Aで部分連結して配置し、前記金属製冷却板100Aと金属製放熱板200Aに複数の貫通孔101A、201Aを設けた。  
金属製冷却板100Aと金属製放熱板200Aは、患部に合わせて湾曲させても良い。
本例の二重金属板製冷却パックを患部に装着する方法は、パックの左右に革製、合成樹脂製、繊維製、ゴム製などで紐状、ベルト状、網目状、鎖状などに成形した装着帯を連結して締め装着するなど患部の部位や形状に応じた装着具を採用することができる。
【実施例２】
【００１６】
図１において、本例の二重金属板製冷却パックは、人体局部に添着するものであり、添着面側に円形の耐蝕性のステンレス製の金属製冷却板100Bを配置し、その金属製冷却板100Bの裏面側に微細な間隙Cをおいて直方形の耐蝕性のステンレス製の金属製放熱板200Bを耐蝕性のステンレス製の金属連結具300Bで部分連結して配置し、前記金属製冷却板100Bと金属製放熱板200に複数の貫通孔101B、201Bを設けた。
金属製冷却板100Bと金属製放熱板200Bは、患部に合わせて湾曲させても良い。
本例の二重金属板製冷却パックも患部に装着する方法は、前例同様に、パックの左右に革製、合成樹脂製、繊維製、ゴム製などで紐状、ベルト状、網目状、鎖状などに成形した装着帯を連結して締め装着するなど患部の部位や形状に応じた装着具を採用することができる。
【産業上の利用可能性】
【００１７】
本考案は、上述のように堅牢な簡単構造体であり、長期間使用でき、痛みの解消治療に優れた作用効果を呈するもので、一般家庭、老人ホーム、医療機関等において広く適用普及することができるので、この種産業界に多大な貢献をもたらすものである。
【図面の簡単な説明】
【００１８】
【図１】本考案の実施例１の説明図であり(1)は側断面図(3)のA-Aから見た正面説明図、(2)は側断面図(3)のB-Bから見た裏面説明図である。
【図２】実施例２の平面説明図であり、(1)は側断面図(3)のD-Dから見た正面説明図、(2)は側断面図(3)のE-Eから見た裏面説明図である。
【符号の説明】
【００１９】
100A  100B金属製冷却板
101A  101B貫通孔
200A  200B金属製放熱板
201A  201B貫通孔
300A  300B金属連結具
CA  CB      間隙
【図１】
0003151474.tif 000003
【図２】
0003151474.tif 000004